(57)【要約】【課題】画像形成装置においてデータ転送部のチューニングを効率化し、画像形成装置のパフォーマンスの低下を抑えるとともにデータ転送の信頼性を向上する。【解決手段】データ転送部１Ａは、クロック生成部１１と、クロック信号に同期してシリアルデータを出力するデータ出力部１１と、クロック信号に同期してシリアルデータをラッチするデータ取得部１２と、ラッチのタイミングを調整するクロック遅延部１３Ａ，１３Ｂと、クロック反転部１４と、クロック信号に基づきシリアルデータをラッチする正転クロックラッチ部１７Ａと、クロック反転部が反転した反転クロック信号に基づきシリアルデータをラッチする反転クロックラッチ部１７Ｂと、取得したデータの正誤を判定し、クロック遅延部を制御して遅延量をチューニングする判定部１５と、チューニングに従いクロック遅延部の遅延量を設定する遅延量設定部１６とを備える。【選択図】図１
2020038417.tif 000002
【特許請求の範囲】
【請求項１】
クロック信号を生成しスレーブ側へ出力するクロック生成部と、
前記クロック生成部が生成するクロック信号に同期してシリアルデータを出力するデータ出力部と、
前記クロック生成部が生成したクロック信号に同期して前記データ出力部が出力したシリアルデータをラッチするデータ取得部と、
前記クロック生成部が生成したクロック信号を遅延させて前記ラッチのタイミングを調整するクロック遅延部と、
前記クロック生成部が生成したクロック信号を反転するクロック反転部と、
前記データ取得部に含まれ、前記クロック信号に基づきシリアルデータをラッチする正転クロックラッチ部と、
前記データ取得部に含まれ、前記クロック反転部が反転した反転クロック信号に基づきシリアルデータをラッチする反転クロックラッチ部と、
前記正転クロックラッチ部又は／及び前記反転クロックラッチ部を介して取得したデータの正誤を判定し、前記クロック遅延部を制御して遅延量をチューニングする判定部と、
前記判定部のチューニングに従い前記クロック遅延部の遅延量を設定する遅延量設定部と、
を備えるデータ転送部を搭載した画像形成装置。
【請求項２】
前記データ転送部は、前記クロック信号に基づくチューニングと、前記反転クロック信号に基づくチューニングとを並行して実行可能にされた請求項１に記載の画像形成装置。
【請求項３】
前記データ転送部は、前記クロック信号及び前記反転クロック信号のうちいずれか一方に基づくチューニングと、他方に基づくデータ転送を並行して実行可能にされた請求項１又は請求項２に記載の画像形成装置。
【請求項４】
前記データ転送部は、
前記クロック信号に基づくチューニングと、前記反転クロック信号に基づくチューニングとを並行して実行する転送停止双チューニングモードと、
前記クロック信号及び前記反転クロック信号のうちいずれか一方に基づくチューニングと、他方に基づくデータ転送を並行して実行する転送並行片チューニングモードと、を実行可能にされ、
前記転送停止双チューニングモードと前記転送並行片チューニングモードとから選択して適用するチューニングモードを指示するモード制御部を備える請求項１に記載の画像形成装置。
【請求項５】
前記モード制御部は、データ転送の要否に応じてチューニングモードを指示する請求項４に記載の画像形成装置。
【請求項６】
前記モード制御部は、当該画像形成装置の電源投入から起動処理完了までの期間は、前記転送停止双チューニングモードを指示する請求項５に記載の画像形成装置。
【請求項７】
前記モード制御部は、当該画像形成装置の画像形成作業の実行時は、前記転送並行片チューニングモードを指示し、当該画像形成装置の待機時は、前記転送停止双チューニングモードを指示する請求項５又は請求項６に記載の画像形成装置。
【発明の詳細な説明】
【技術分野】
【０００１】
本発明は、画像形成装置におけるデータ転送に関する。
【背景技術】
【０００２】
電子写真方式の画像形成装置に、メモリＩＣから画像データ、音声データ等をシリアル伝送するデータ転送装置が組み込まれている。画像データは、画像読取装置により原稿から光学的に読み取られて変換されたデータや、外部から入力されたデータである。音声データは音声ガイダンスなどが記録されたデータである。
一般にデータ転送装置は、ＳＣＬＫ端子からクロック信号を出力するとともに、ＳＯＵＴ端子からクロック信号に同期してシリアルデータを出力する送信ＩＣ、送信ＩＣのＳＣＬＫ端子から出力されたクロック信号を受信するとともに、そのクロック信号に同期してシリアルデータを受信・ラッチする受信ＩＣにより構成される。
メモリデバイスメーカーは所定の規格に基づき、応答タイミング設計を行っているが、半導体特性によって応答タイミングが異なる。そのため同一規格のバスインターフェースを使用する場合にも部品ごとにチューニング（クロックとデータのタイミング調整。以下同じ）が必要になる。また、半導体デバイスは温度によっても応答タイミングが変わるため、環境に応じてチューニングを頻繁に行わなければならない。
【０００３】
特許文献１には、受信ＩＣがシリアルデータを受信する際、そのシリアルデータとクロック信号の位相を調整するように構成することで、シリアルデータの転送速度を上げることができるデータ通信装置が提案されている。
特許文献１に記載の画像読取装置では、受信ＩＣがシリアルデータ又はクロック信号を遅延させる位相調整回路を備えるように構成したので、簡単にシリアルデータとクロック信号の位相を調整することができ、受信ＩＣの位相調整回路による遅延時間を変更しながら、送信ＩＣから送信される既知のシリアルデータを受信ＩＣが受信して、そのシリアルデータの正誤判定を実施し、その判定結果を考慮して当該遅延時間を決定するように構成したので、遅延時間の最適化を図ることができる。また、シリアルデータを送受信する際、そのシリアルデータとクロック信号の位相を調整するように構成したので、シリアルデータの転送速度を上げることができる効果を期待している。
【先行技術文献】
【特許文献】
【０００４】
【特許文献１】特開２０１５−９１０３６号公報
【発明の概要】
【発明が解決しようとする課題】
【０００５】
しかし、特許文献１に記載の発明にあっては、チューニング時間を短縮するための手段を持っておらず、最低でも１周期分の時間が必要になり、度々チューニングが発生した場合、画像形成装置のパフォーマンスの低下につながる。また、エラーを未然に防げないため、使用環境によっては使用中に突然通信エラーが発生し、エラーによるダウンタイムが発生する他、さらにデータ消失の危険性を持っている。
上述したように半導体デバイスは温度によっても応答タイミングが変わるため、環境に応じてチューニングを頻繁に行わなければならない。
特に、画像形成装置は高温になる定着装置を持っており、装置構成によっては、メモリ等の電子部品は起動時に１０℃だったとしても使用しているうちに６０℃近くまで温度上昇することは少なくない。ただ、頻繁にチューニングを行ってもパフォーマンスを低下させしまう。
そのため一般的なチューニングのタイミングとして、画像形成等のジョブ実行時の場合、通信エラーが発生すると、一時中断しチューニングを行い、再度リトライするといった、都度チューニングを行っている。
その結果画像形成装置のパフォーマンスの低下を招いてしまうという課題があった。
また、起動時やトラブル発生後のチューニング処理の時間が長いと、画像形成装置のファーストコピータイムなどの起動時間に影響が生じ、チューニングが頻繁に発生した際のパフォーマンスの低下、という課題があった。
【０００６】
本発明は以上の従来技術における問題に鑑みてなされたものであって、画像形成装置においてデータ転送部のチューニングを効率化し、画像形成装置のパフォーマンスの低下を抑えるとともにデータ転送の信頼性を向上することを課題とする。
【課題を解決するための手段】
【０００７】
以上の課題を解決するための請求項１記載の発明は、クロック信号を生成しスレーブ側へ出力するクロック生成部と、
前記クロック生成部が生成するクロック信号に同期してシリアルデータを出力するデータ出力部と、
前記クロック生成部が生成したクロック信号に同期して前記データ出力部が出力したシリアルデータをラッチするデータ取得部と、
前記クロック生成部が生成したクロック信号を遅延させて前記ラッチのタイミングを調整するクロック遅延部と、
前記クロック生成部が生成したクロック信号を反転するクロック反転部と、
前記データ取得部に含まれ、前記クロック信号に基づきシリアルデータをラッチする正転クロックラッチ部と、
前記データ取得部に含まれ、前記クロック反転部が反転した反転クロック信号に基づきシリアルデータをラッチする反転クロックラッチ部と、
前記正転クロックラッチ部又は／及び前記反転クロックラッチ部を介して取得したデータの正誤を判定し、前記クロック遅延部を制御して遅延量をチューニングする判定部と、
前記判定部のチューニングに従い前記クロック遅延部の遅延量を設定する遅延量設定部と、
を備えるデータ転送部を搭載した画像形成装置である。
【０００８】
請求項２記載の発明は、前記データ転送部は、前記クロック信号に基づくチューニングと、前記反転クロック信号に基づくチューニングとを並行して実行可能にされた請求項１に記載の画像形成装置である。
【０００９】
請求項３記載の発明は、前記データ転送部は、前記クロック信号及び前記反転クロック信号のうちいずれか一方に基づくチューニングと、他方に基づくデータ転送を並行して実行可能にされた請求項１又は請求項２に記載の画像形成装置である。
【００１０】
請求項４記載の発明は、前記データ転送部は、
前記クロック信号に基づくチューニングと、前記反転クロック信号に基づくチューニングとを並行して実行する転送停止双チューニングモードと、
前記クロック信号及び前記反転クロック信号のうちいずれか一方に基づくチューニングと、他方に基づくデータ転送を並行して実行する転送並行片チューニングモードと、を実行可能にされ、
前記転送停止双チューニングモードと前記転送並行片チューニングモードとから選択して適用するチューニングモードを指示するモード制御部を備える請求項１に記載の画像形成装置である。
【００１１】
請求項５記載の発明は、前記モード制御部は、データ転送の要否に応じてチューニングモードを指示する請求項４に記載の画像形成装置である。
【００１２】
請求項６記載の発明は、前記モード制御部は、当該画像形成装置の電源投入から起動処理完了までの期間は、前記転送停止双チューニングモードを指示する請求項５に記載の画像形成装置である。
【００１３】
請求項７記載の発明は、前記モード制御部は、当該画像形成装置の画像形成作業の実行時は、前記転送並行片チューニングモードを指示し、当該画像形成装置の待機時は、前記転送停止双チューニングモードを指示する請求項５又は請求項６に記載の画像形成装置である。
【発明の効果】
【００１４】
本発明によれば、画像形成装置においてデータ転送部のチューニングを効率化し、画像形成装置のパフォーマンスの低下を抑えるとともにデータ転送の信頼性を向上することができる。
【図面の簡単な説明】
【００１５】
【図１】本発明の一実施形態に係るデータ転送部の機能ブロック図である。
【図２】本発明の一実施形態に係るチューニングチャートである。
【図３】従来例に係るチューニングチャートである。
【図４】本発明の他の一実施形態に係るデータ転送部の機能ブロック図である。
【図５】本発明のさらに他の一実施形態に係るデータ転送部の機能ブロック図である。
【図６】本発明の一実施形態に係る画像形成装置の構成図である。
【図７】画像形成装置内のメモリ制御部の一例の温度変化を示すグラフである。
【図８】画像形成装置内のメモリ制御部の他の一例の温度変化を示すグラフである。
【発明を実施するための形態】
【００１６】
以下に本発明の一実施形態につき図面を参照して説明する。以下は本発明の一実施形態であって本発明を限定するものではない。
【００１７】
本実施形態のデータ転送部１Ａは、図１に示すようにクロック生成・データ出力部１１と、データ取得部１２と、クロック遅延部１３Ａ，１３Ｂと、クロック反転部１４と、判定部１５と、遅延量設定部１６とを備え、電子写真方式の画像形成装置に搭載される。
【００１８】
クロック生成・データ出力部１１は、クロック信号を生成しスレーブ側へ出力するとともに、同クロック信号に同期してシリアルデータを出力する。そのシリアルデータには、チェックコードが付随する。
【００１９】
データ取得部１２には、正転クロックラッチ部１７Ａ、反転クロックラッチ部１７Ｂ、正転側データ取得部１８Ａ、反転側データ取得部１８Ｂが含まれ、正転側（１７Ａ→１８Ａ）と反転側（１７Ｂ→１８Ｂ）とで、クロック生成・データ出力部１１が生成したクロック信号に同期してクロック生成・データ出力部１１が出力したシリアルデータをラッチし、シリアルデータをファイフォ１９に出力するとともに、チェックコードを演算して判定部１５に出力する。
【００２０】
クロック遅延部１３Ａ，１３Ｂは、クロック生成・データ出力部１１が生成したクロック信号を遅延させてデータ取得部１２におけるラッチのタイミングを調整する。
クロック反転部１４は、クロック生成・データ出力部１１が生成したクロック信号を反転する。
正転クロックラッチ部１７Ａは、クロック信号に基づきシリアルデータをラッチする。
反転クロックラッチ部１７Ｂは、クロック反転部１４が反転した反転クロック信号に基づきシリアルデータをラッチする。
【００２１】
判定部１５は、チェックデータを比較照合することによって、正転クロックラッチ部１７Ａ及び反転クロックラッチ部１７Ｂを介して取得したデータの正誤を判定し、クロック遅延部１３Ａ，１３Ｂを制御して遅延量をチューニングする。
遅延量設定部１６は、判定部１５のチューニングに従いクロック遅延部１３Ａ，１３Ｂの遅延量を設定する。
クロック遅延部１３Ａ，１３Ｂは、遅延量設定部１６が設定した遅延量を保持して動作し、チューニングの実施に伴い遅延量設定部１６が設定更新すれば、更新された遅延量を保持して動作する。
【００２２】
データ転送部１Ａは、図２に示すようにクロック信号に基づくチューニングと、反転クロック信号に基づくチューニングとを並行して実行する転送停止双チューニングモードが実行可能である。図２は、チューニングをクロック信号の１周期の６０分割で行う場合を例としたチューニングチャートである。
データ転送部１Ａにおいては、図２に示すようにクロック信号の立ち上がりタイミングを基準に時間的に３０分割して遅延展開したタイミング信号（Delay＋０〜＋２９）を生成してデータ取得及び判定を行うと同時に、反転クロック信号の立ち上がりタイミングを基準に時間的に３０分割して遅延展開したタイミング信号（Delay＋０〜＋２９）を生成してデータ取得及び判定を行う。
これに対し、従来のように正転クロック信号のみに基づき６０回のラッチを行うと図３に示すようになる。
したがって、本実施形態のデータ転送部１Ａによれば、従来に比較してチューニング時間が半分に短縮され、画像形成装置のパフォーマンスの低下を抑えることができる。
【００２３】
図４に示す他の実施形態としてのデータ転送部１Ｂは、クロック信号及び反転クロック信号のうちいずれか一方に基づくチューニングと、他方に基づくデータ転送を並行して実行する転送並行片チューニングモードを実行可能にされたものである。
図４に示す遅延量更新許可制御部２０が許可信号を出力している時は、正転側の遅延量が更新されるが、非許可信号を出力している時は、正転側（１３Ａ→１７Ａ→１８Ａ）ではデータ転送が実行される。その一方で、反転側（１３Ｂ→１４→１７Ｂ→１８Ｂ）ではチューニングが実行される。判定部１５は、転送並行片チューニングモードの実行後に遅延量更新許可制御部２０に許可信号を設定してクロック遅延部１３Ａの遅延量も更新する。
逆に正転側でチューニングを、反転側でデータ転送を実行するように構成してもよい。
かかるデータ転送部１Ｂによれば、データ転送を止めることなくデータ転送と並行してチューニングを行うことができる。
【００２４】
さらに図５に示す他の実施形態としてのデータ転送部１Ｃは、転送停止双チューニングモードと、転送並行片チューニングモードと、を実行可能にされ、モード制御部２１の指示により両モードの切り替えが可能にされたものである。
図５に示すＳｏＣ上に設けられるモード制御部２１は、転送停止双チューニングモードと転送並行片チューニングモードとから選択して適用するチューニングモードを判定部１５に指示する。
判定部１５は、転送停止双チューニングモードが指示された場合は、遅延量更新許可制御部２０を許可信号に常時設定して、図１に示したデータ転送部１Ａと実質同様の構成として転送停止双チューニングモードを実行する。
判定部１５は、転送並行片チューニングモードが指示された場合は、図４に示したデータ転送部１Ｂと同様に転送並行片チューニングモードを実行する。
【００２５】
次に電子写真方式の画像形成装置におけるチューニングモードの指定動作につき、具体的事例への対応を含めて説明する。
図６に示すように電子写真方式の画像形成装置１００は、画像読取部１１０、システム制御基板１２０、画像形成部１３０等を備える。画像読取部１１０で原稿から光学的に読み取られた画像データは、メモリＩＣに格納される。その他外部から入力された画像データ（プリントデータ）がメモリＩＣに格納される。データ転送部１Ａ、１Ｂ又は１Ｃにより読み出された画像データに濃度調整等の所定のデータ処理が施され、画像形成部１３０により用紙上に画像が形成される。画像形成部１３０は、電子写真方式の画像形成部であり、感光体、上記画像データに基づき感光体上に静電潜像を形成するレーザー書き込み装置、静電潜像をトナー像に現像する現像装置、トナー像を用紙に転写する転写部、加圧、加熱により用紙にトナー像を定着させる定着装置等を備え、主に定着装置から熱が発生する。
【００２６】
（事例１）
起動（期間ｔ０−ｔ１）直後の、コピー又はプリントの画像形成作業（期間Ｔ２）によって、画像形成装置１００内の温度が大きく上昇した場合について述べる。
従来にあっては、温度の上昇勾配や環境温度によって、クロックとデータのタイミングが読み出し可能なタイミングから外れて、画像形成作業中に画像データの読み出しに失敗し、画像形成作業が中断され、再開に時間かかってしまうことがある。
図７に画像形成装置内のメモリ制御部（ＣＰＵ）の温度変化を示す。図７は、起動時から連続コピー又はプリントを実施した場合の一例の温度変化である。
画像形成装置内の構成、定着装置の発熱、ＣＰＵの吸熱性能によって、画像形成装置内の温度は大きな温度上昇を示す。この時、起動直後（時点ｔ１）の状態に比べ大きな温度上昇により、起動直後（時点ｔ１）のクロックとデータの相関と画像形成中（期間Ｔ２）のクロックとデータの相関は大きく異なる。そのため、多種多様・各社の不揮発メモリとメモリ制御部（ＣＰＵ）の組み合わせによって、画像形成中（期間Ｔ２）にデータの読み出しに失敗する恐れがある。
【００２７】
本実施形態のデータ転送部１Ａを搭載した画像形成装置１００によれば、従来の半周期に相当する迅速なチューニングにより早期に起動することができる。
また、期間Ｔ２で画像データの転送を中断してチューニングを行っても、従来の半周期に相当する迅速なチューニングにより早期にデータ転送に復帰でき、チューニングによるデータ転送の中断時間を短期に抑えられる。
【００２８】
本実施形態のデータ転送部１Ｂ又は１Ｃを搭載した画像形成装置１００によれば、データ転送と並行してチューニングを行うこと（転送並行片チューニングモード）が可能である。
したがって、画像データの転送と並行してチューニングを行い温度変化等に対応して適切な遅延量を設定できるので、画像データの読み出し失敗を回避し、画像形成作業が中断することを未然に防ぐことができる。
図７に示す時点ｔ１から時点ｔ２のように温度が大きく上昇しても、画像形成作業が中断することを未然に防ぐことができる。
【００２９】
さらに画像形成装置１００にモード制御部２１を有するデータ転送部１Ｃが搭載される場合について述べる。
図７に示すように画像形成装置１００の電源投入時ｔ０から起動処理完了ｔ１までの期間及び待機時（期間ｔ１−ｔ２）においては、モード制御部２１は、転送停止双チューニングモードを指示する。これにより、従来の半周期に相当する迅速なチューニング（期間Ｔ１でチューニングを実行）により早期に起動することができる。起動後の待機時（期間ｔ１−ｔ２）におけるヒートアップ中も適切にチューニングが行われているので、次の画像形成作業の実行も円滑に実行される。
また、時点ｔ２から時点ｔ３の連続コピー又はプリントを行っている期間Ｔ２、すなわち、画像形成装置１００の画像形成作業の実行時においては、モード制御部２１は、転送並行片チューニングモードを指示する。これにより、温度が大きく上昇しても、チューニングをデータ転送と並行して実行し、画像形成作業が中断することを未然に防ぐことができる。
以上のようにモード制御部２１は、データ転送の要否に応じてチューニングモードを指示する。
【００３０】
（事例２）
連続コピー後に再度コピー（期間Ｔ３）、その後トラブルが発生し（時点ｔ６）、定着装置が急に止まって温度変化が発生した場合について述べる。ここでのトラブルとは、紙詰まりなどの機械的なものを指し、通信エラーは含まれない。
従来にあっては、メンテナンスモードやトラブル対応時には、定着装置が急に止まり温度変化が発生する。温度変化によりデータの読み出しが不可となり、音声ガイダンスのデータも読み出せず、ガイダンスがストップし、トラブルを円滑に解除できず停滞する可能性もある。
図８に画像形成装置内のメモリ制御部（ＣＰＵ）の温度変化を示す。図８は、連続コピー後に再度コピー、その後トラブルが発生し、定着装置が急に止まって温度変化発生した場合の一例の温度変化である。
図８に示すように画像形成部１３０の稼働（期間Ｔ３において連続コピー後に再度コピーが行われている）の後、温度が下がりきっていない状態で、トラブル発生（時点ｔ６）により画像形成部１３０がストップしてトラブル解除作業が開始（時点ｔ７）されるが、画像形成部１３０がストップしたためトラブル解除作業（期間Ｔ５）中に機内温度が下がり続けるといった状況である。
【００３１】
従来にあっては、図８に示すように画像形成装置の稼働状況によって画像形成作業の開始（時点ｔ４）の直後に温度が高かった場合、画像形成作業の開始直後にチューニングを実施したとしても、トラブル解除のタイミング（期間Ｔ５）では温度が大きく異なる場合があり、ガイダンス（期間ｔ７−ｔ８でガイダンス再生予定とする）のストップにより、円滑なトラブル解除ができず停滞する可能性がある。
これにより、画像形成装置の稼働が無駄にストップしてしまい、大きなダウンタイムが発生する。
【００３２】
画像形成装置１００にデータ転送部１Ａが搭載される場合について述べる。
この場合、常時転送中断双チューニングモードであるので、全期間（Ｔ３＋Ｔ４＋Ｔ５）において従来の半周期に相当する迅速なチューニングが可能である。
期間Ｔ３で画像データの転送を中断してチューニングを行っても、従来の半周期に相当する迅速なチューニングにより早期にデータ転送に復帰でき、チューニングによるデータ転送の中断時間を短期に抑えられる。
期間Ｔ４で温度変化があっても迅速にチューニングが行われており、期間ｔ７−ｔ８でチューニングを禁止してデータ転送を行うことでガイダンスが再生され、円滑にトラブルが解除されるから、大きなダウンタイムの発生が回避される。
【００３３】
画像形成装置１００にデータ転送部１Ｂが搭載される場合について述べる。
この場合、常時転送並行片チューニングモードであるので、全期間（Ｔ３＋Ｔ４＋Ｔ５）においてチューニングをデータ転送に並行して実行でき、温度変化があっても適切にチューニングが行われ、データ転送の不具合により画像形成作業を中断させてしまうことがなく、期間ｔ７−ｔ８でのガイダンス再生も実行され、円滑にトラブルが解除されるから、大きなダウンタイムの発生が回避される。
【００３４】
画像形成装置１００にモード制御部２１を有するデータ転送部１Ｃが搭載される場合について述べる。
モード制御部２１によるチューニングモード指定動作は次の通りである。
モード制御部２１は、画像形成装置１００の画像形成作業の実行時（期間Ｔ３）は、転送並行片チューニングモードを指示し、画像形成装置１００の待機時（期間Ｔ４）は、転送停止双チューニングモードを指示し、ガイダンス再生期間ｔ７−ｔ８は、転送並行片チューニングモードを指示し、ガイダンス完了後の期間ｔ８−ｔ９は転送停止双チューニングモードを指示する。
したがって、転送並行片チューニングモードにより、期間Ｔ３においてデータ転送に並行してチューニングを実行でき、温度変化があっても適切にチューニングが行われ、データ転送の不具合により画像形成作業を中断させてしまうことがない。
また、画像形成作業の終了（時点ｔ５）の後、転送停止双チューニングモードによる従来の半周期に相当する迅速なチューニングにより、より急速な温度変化があっても迅速に対応して適切にチューニングが行われる。
さらに、期間ｔ７−ｔ８でのガイダンス再生も実行され、円滑にトラブルが解除されるから、大きなダウンタイムの発生が回避される。
トラブル解消（時点ｔ９）後の次の画像形成作業の実行も円滑に実行され、データ転送の不具合により画像形成作業を中断させてしまうことがない。
仮に、時点ｔ６でトラブルが発生しなかったとしても、長期的な連続稼働（期間Ｔ３）の後の待機時における温度急降下中も迅速にチューニングが行われているので、次の画像形成作業の実行も円滑に実行され、データ転送の不具合により画像形成作業を中断させてしまうことがない。
以上のようにモード制御部２１は、データ転送の要否に応じてチューニングモードを指示する。
【００３５】
以上説明したように本実施形態の画像形成装置によれば、データ転送部のチューニングを効率化し、中断、停滞の回避により画像形成装置のパフォーマンスの低下を抑えるとともに、チューニングの実行率も上げられるのでデータ転送の信頼性を向上することができる。
【符号の説明】
【００３６】
１Ａ   データ転送部
１Ｂ   データ転送部
１Ｃ   データ転送部
１１   クロック生成・データ出力部
１２   データ取得部
１３Ａ，１３Ｂクロック遅延部
１４   クロック反転部
１５   判定部
１６   遅延量設定部
１７Ａ 正転クロックラッチ部
１７Ｂ 反転クロックラッチ部
１８Ａ 正転側データ取得部
１８Ｂ 反転側データ取得部
２０   遅延量更新許可制御部
２１   モード制御部
１００ 画像形成装置
１１０ 画像読取部
１２０ システム制御基板
１３０ 画像形成部
【図１】
2020038417.tif 000003
【図２】
2020038417.tif 000004
【図３】
2020038417.tif 000005
【図４】
2020038417.tif 000006
【図５】
2020038417.tif 000007
【図６】
2020038417.tif 000008
【図７】
2020038417.tif 000009
【図８】
2020038417.tif 000010